(57)【要約】【課題】簡易な構成で衝撃などの外力を適切に吸収して遊技球を適正に振り分け可能とする。【解決手段】遊技盤内の遊技領域を遊技球が流下する遊技機に用いられる遊技機用振分装置において、遊技領域を流下する遊技球を受入可能な受入口と、受入口から受け入れた遊技球を複数の振分口のいずれかに振り分ける振分部と、振分部を枠内で支持固定するように枠状に構成された支持枠と、支持枠の相対する側壁のそれぞれに対応する位置に対になって配置され遊技盤に対して固定された固定部材と、支持枠の側壁と側壁に対応する固定部材とのそれぞれに回動可能に軸支されるように対になって配置される支持アームを、支持枠の周方向に間隔を空けた位置に二組有する支持部と、を備え、支持部は、周方向に間隔を空けて位置する二つの支持アームが互いに連動するように連結されている。【選択図】図３
2019122509.tif 000002
【特許請求の範囲】
【請求項１】
遊技盤内の遊技領域を遊技球が流下する遊技機に用いられる遊技機用振分装置であって、
前記遊技領域を流下する遊技球を受入可能な受入口と、
前記受入口から受け入れた遊技球を複数の振分口のいずれかに振り分ける振分部と、
前記振分部を枠内で支持固定するように枠状に構成された支持枠と、
前記支持枠の相対する側壁のそれぞれに対応する位置に対になって配置され前記遊技盤に対して固定された固定部材と、
前記支持枠の前記側壁と該側壁に対応する前記固定部材とのそれぞれに回動可能に軸支されるように対になって配置される支持アームを、前記支持枠の周方向に間隔を空けた位置に二組有する支持部と、
を備え、
前記支持部は、前記周方向に間隔を空けて位置する二つの前記支持アームが互いに連動するように連結されている
遊技機用振分装置。
【請求項２】
請求項１に記載の遊技機用振分装置であって、
前記支持アームは、前記周方向に沿う方向から該周方向に直交する直交方向に沿う方向に屈曲した部材であり、屈曲部で前記固定部材に軸支されると共に前記周方向に沿う部分の先端部で前記側壁に軸支されており、
前記支持部は、前記周方向に間隔を空けて位置する二つの前記支持アームにおける前記直交方向に沿う部分の先端部のそれぞれに回動可能に軸支される連結アームを備える
遊技機用振分装置。
【請求項３】
請求項１または２に記載の遊技機用振分装置であって、
前記振分部の上方に配設され、前記受入口から受け入れた遊技球を受けて前記振分部まで流下するように導く誘導部を備え、
前記支持枠は、前記誘導部を枠内で支持固定する
遊技機用振分装置。
【請求項４】
請求項１ないし３のいずれか１項に記載の遊技機用振分装置であって、
前記周方向に間隔を空けて位置する二つの前記支持アームのうち、一方の前記支持アームにおいて前記側壁に軸支される軸孔は、他方の前記支持アームにおいて前記側壁に軸支される軸孔に比べて前記周方向に孔径が拡がった長孔状に形成される
遊技機用振分装置。
【発明の詳細な説明】
【技術分野】
【０００１】
本発明は、遊技機に用いられる遊技機用振分装置に関する。
【背景技術】
【０００２】
従来、この種の遊技機用振分装置としては、遊技盤に設けられた遊技領域を流下した遊技球を振り分けるものが提案されている（例えば、特許文献１参照）。特許文献１には、遊技領域を流下した遊技球が入球可能な入賞装置内に設けられ、入賞装置内に入球した遊技球を特定入球口か一般入賞口のいずれかに振り分ける振分装置が記載されており、振り分けられた遊技球が特定入球口に入球すると遊技者にとって有利な特定遊技が行われるものとなっている。この特許文献１では、遊技機に衝撃を与えても振分装置の振り分けに衝撃の影響が及ばないように、入賞装置が防振部材を介して遊技盤に取り付けられている。これにより、遊技球が特定入球口に振り分けられるように遊技機に衝撃を与えるなどの不正行為を防止できるとしている。
【先行技術文献】
【特許文献】
【０００３】
【特許文献１】特開２００６−３７８号公報
【発明の概要】
【発明が解決しようとする課題】
【０００４】
上述したように、このような遊技機では不正行為を防止して適正な遊技を促すことが重要な課題として考えられるが、防振部材を介して振分装置が取り付けられる構成では、遊技機ごと揺らすような比較的大きな衝撃などが与えられた場合にその影響を十分に抑えることができない可能性がある。このため、振分装置が適正に遊技球を振り分けられるようにするため、さらなる改善が求められる。
【０００５】
本発明の遊技機用振分装置は、簡易な構成で衝撃などの外力を適切に吸収して遊技球を適正に振り分け可能とすることを主目的とする。
【課題を解決するための手段】
【０００６】
本発明の遊技機用振分装置は、上述の主目的を達成するために以下の手段を採った。
【０００７】
本発明の遊技機用振分装置は、遊技盤内の遊技領域を遊技球が流下する遊技機に用いられる遊技機用振分装置であって、前記遊技領域を流下する遊技球を受入可能な受入口と、前記受入口から受け入れた遊技球を複数の振分口のいずれかに振り分ける振分部と、前記振分部を枠内で支持固定するように枠状に構成された支持枠と、前記支持枠の相対する側壁のそれぞれに対応する位置に対になって配置され前記遊技盤に対して固定された固定部材と、前記支持枠の前記側壁と該側壁に対応する前記固定部材とのそれぞれに回動可能に軸支されるように対になって配置される支持アームを、前記支持枠の周方向に間隔を空けた位置に二組有する支持部と、を備え、前記支持部は、前記周方向に間隔を空けて位置する二つの前記支持アームが互いに連動するように連結されていることを要旨とする。
【０００８】
本発明の遊技機用振分装置は、受入口から受け入れた遊技球を複数の振分口のいずれかに振り分ける振分部を枠内で支持固定するように枠状に構成された支持枠と、支持枠の相対する側壁のそれぞれに対応する位置に対になって配置され遊技盤に対して固定された固定部材と、支持枠の側壁と側壁に対応する固定部材とのそれぞれに回動可能に軸支されるように対になって配置される支持アームを支持枠の周方向に間隔を空けた位置に二組有する支持部と、を備え、支持部は、周方向に間隔を空けて位置する二つの支持アームが互いに連動するように連結されている。これにより、対になって配置される一対の支持アームを二組有する簡易な構成で、支持枠を揺動可能に吊り下げて支持することができる。このため、振分部による遊技球の振り分けに適した姿勢に支持枠を保つことができ、支持枠に衝撃などの大きな外力が伝わった場合でも揺動することでその影響を吸収して支持枠の姿勢の変化を抑えることができる。したがって、遊技機に比較的大きな衝撃などが加えられた場合でも振分部における遊技球の振り分けに影響が及ぶのを防止することができるから、簡易な構成で衝撃を適切に吸収して遊技球を適正に振り分け可能とすることができる。
【０００９】
本発明の遊技機用振分装置において、前記支持アームは、前記周方向に沿う方向から該周方向に直交する直交方向に沿う方向に屈曲した部材であり、屈曲部で前記固定部材に軸支されると共に前記周方向に沿う部分の先端部で前記側壁に軸支されており、前記支持部は、前記周方向に間隔を空けて位置する二つの前記支持アームにおける前記直交方向に沿う部分の先端部のそれぞれに回動可能に軸支される連結アームを備えるものとしてもよい。こうすれば、屈曲した形状の支持アームを連結アームで連結する簡易な構成で、支持枠を揺動可能に吊り下げて支持することができる。
【００１０】
本発明の遊技機用振分装置において、前記振分部の上方に配設され、前記受入口から受け入れた遊技球を受けて前記振分部まで流下するように導く誘導部を備え、前記支持枠は、前記誘導部を枠内で支持固定するものとしてもよい。こうすれば、支持枠が揺動しても誘導部と振分部との位置関係が変化することなく一定の関係を保つことができる。このため、支持枠の揺動により受入口から受け入れた遊技球の挙動が変化した場合でも、振分部に案内されるまでにその影響を抑制することができるから、遊技球をさらに適正に振り分けることができる。
【００１１】
本発明の遊技機用振分装置において、前記周方向に間隔を空けて位置する二つの前記支持アームのうち、一方の前記支持アームにおいて前記側壁に軸支される軸孔は、他方の前記支持アームにおいて前記側壁に軸支される軸孔に比べて前記周方向に孔径が拡がった長孔状に形成されるものとしてもよい。こうすれば、連結される二つの支持アームの製造誤差や組付誤差などを長孔状の軸孔で吸収することができるから、二つの支持アームをスムーズに連動させて支持枠を適切に揺動させることができる。
【発明の効果】
【００１２】
本発明の遊技機用振分装置によれば、簡易な構成で衝撃などの外力を適切に吸収して遊技球を適正に振り分け可能とすることができる。
【図面の簡単な説明】
【００１３】
【図１】可変入賞装置２０内に振分ユニット３０を備える遊技機１の構成図である。
【図２】遊技盤３と振分ユニット３０の斜視図である。
【図３】振分ユニット３０の斜視図である。
【図４】振分ユニット３０の斜視図である。
【図５】振分ユニット３０が支持される様子を側方からみた説明図である。
【図６】変形例の振分ユニット１３０の斜視図である。
【図７】振分ユニット１３０の上面図である。
【図８】図７のＡ−Ａ断面図である。
【図９】振分ユニット１３０の一部の構成の分解斜視図である。
【図１０】振分ユニット１３０の一部の構成の斜視図である。
【図１１】振分ユニット１３０の一部の構成の斜視図である。
【図１２】振分ユニット１３０の一部の構成の斜視図である。
【発明を実施するための形態】
【００１４】
次に、本発明を実施するための形態について説明する。
【００１５】
図１は可変入賞装置２０内に振分ユニット３０を備える遊技機１の構成図であり、図２は遊技盤３と振分ユニット３０の斜視図であり、図３，図４は振分ユニット３０の斜視図である。遊技機１は、遊技球を用いて遊技を行うパチンコ機として構成され、図１に示すように、略長方形状の本体２と、本体２の前面中央に設けられ遊技球が流下可能な遊技領域を有する遊技盤３と、遊技盤３の上方に設けられ種々の効果音や報知音を出力するスピーカ４と、遊技盤３の下方に設けられ遊技球を貯留する上受け皿５および下受け皿６と、上受け皿５に貯留されている遊技球を遊技盤３へ発射するための発射ハンドル７と、上受け皿５の中央に設けられ遊技者による操作が可能な演出ボタン８と、を備える。
【００１６】
遊技盤３は、遊技領域の右下部に配置され図柄の変動表示を行う図柄表示装置１１と、遊技領域の中央に配置された可変入賞装置２０と、可変入賞装置２０の下方に配置され遊技球が入球可能な第１始動口（固定始動口）１３と、可変入賞装置２０の右下方に開閉可能に配置され遊技球が入球可能な第２始動口（可変始動口）１４と、可変入賞装置２０の左方と右方とにそれぞれ配置された普通入賞口１５と、遊技球が入球可能な遊技領域の下方まで流下した遊技球を回収するためのアウト口１６と、が設けられている。
【００１７】
可変入賞装置２０は、左右両側に遊技球が入球可能に設けられた可変入賞口２１と、可変入賞口２１を開閉する左右一対の可動片としての羽根部材２２と、可変入賞装置２０内に設けられた振分ユニット３０とを備える。可変入賞装置２０は、通常は羽根部材２２により可変入賞口２１が塞がれて遊技球が入球不能な閉鎖状態となっており、羽根部材２２が作動すると可変入賞口２１が開放状態となり遊技領域を流下した遊技球が可変入賞口２１を介して可変入賞装置２０内に入球可能となる。振分ユニット３０は、遊技球を振り分けるための各構成がフレーム（枠）内に配設されたユニットフレーム３１と、遊技盤３の裏側に固定された図示しない裏側カバー部材に固定された左右一対の固定板４０と、ユニットフレーム３１を固定板４０に対して揺動可能に支持する支持機構４５と、を備える。
【００１８】
振分ユニット３０は、ユニットフレーム３１内に、誘導ステージ３３と、案内流路３５と、振分部３７とを備え、これらが遊技盤３に設けられた中央開口部３ａ内に位置する。誘導ステージ３３は、上面視で略Ｔ字状に構成され、左右両側縁部から中央部に向かって緩やかに下るように傾斜すると共に中央部における手前から奥に向かって緩やかに下るように傾斜しており、中央部の奥に遊技球が落下する落下口３３ａが設けられる。この誘導ステージ３３は、左右の可変入賞口２１を介して可変入賞装置２０内に入球し図示しない遊技球流路を通った遊技球を左右両側縁部のいずれかで受けると、受けた遊技球を縁部から中央部に向かって誘導し、さらに中央部の手前から奥に誘導して落下口３３ａから下方に落下させる。案内流路３５は、誘導ステージ３３の落下口３３ａから落下した遊技球を下方に流下するように案内する流路であり、振分部３７の上面の縁に固定されている。振分部３７は、案内流路３５を流下した遊技球を受けるよう上面が円形状に窪むと共に複数（例えば３つ）の振分口３７ａ〜３７ｃが設けられたクルーンタイプの振分部であり、受けた遊技球をこれらの振分口３７ａ〜３７ｃのいずれかに振り分ける。なお、振分口３７ａは、振分部３７の下面から下方に延びる特定流路３８に連通する特定振分口であり、残り２つの振分口３７ｂ，３７ｃは特定流路３８に連通しない非特定振分口である。特定流路３８には遊技球の通過を検知する検知スイッチ３８ａが設けられている。
【００１９】
こうして構成された遊技機１では、第１始動口１３や第２始動口１４への遊技球の入球に伴い、図柄表示装置１１で図柄の変動表示を行い、図柄の変動表示の終了に伴い図柄が所定の当り図柄で停止表示されると、可変入賞装置２０の羽根部材２２を作動して可変入賞口２１を開放する。羽根部材２２の作動時間（可変入賞口２１の開放時間）は、第１始動口１３に遊技球が入球した場合よりも、第２始動口１４に遊技球が入球した場合の方が長いものなどとすることができる。開放した可変入賞口２１に遊技球が入球すると、振分ユニット３０の誘導流路３３と案内流路３５とを経て遊技球が振分部３７に到達し、振分部３７にて振分口３７ａ〜３７ｃのいずれかに振り分けられる。遊技球が特定振分口である振分口３７ａに振り分けられる（特定流路３８を通過する）と、大当りとなり、遊技球が非特定振分口である振分口３７ｂ，３７ｃに振り分けられると、外れとなる。大当りになると、羽根部材２２を開閉作動する大当りラウンドを所定回数繰り返す大当り遊技を実行する。なお、遊技球が振り分けられる振分口によって大当りか外れかが異なるものに限られず、遊技球がいずれの振分口に振り分けられたかを検知可能に構成しておき、振り分けられた振分口によって大当り遊技における大当りラウンドの所定回数（規定ラウンド数）が異なるようにするものなどとしてもよい。いずれにしても、遊技機１は、振分部３７により振分口３７ａ〜３７ｃのいずれに遊技球が振り分けられるかによって、遊技者に有利な遊技状態となるか否かが異なるように構成されている。
【００２０】
以下、振分ユニット３０の振分部３７などの支持に関する構成を説明する。ユニットフレーム３１には、左右両側の側壁３２間にわたって設けられ上下に並んだ固定部材３４，３６を備えており、誘導ステージ３３は水平状態で上方の固定部材３４に固定され、振分部３７は水平状態で下方の固定部材３６に固定されている。なお、案内流路３５は振分部３７の上面の縁に固定されている。このため、ユニットフレーム３１の傾きや位置が変化しても、誘導ステージ３３と案内流路３５と振分部３７とは、その位置関係を一定に保つものとなる。
【００２１】
固定板４０は、ユニットフレーム３１の左右両側の側壁３２の外側で各側壁３２に対向するように一対設けられている。即ち、一対の固定板４０は、ユニットフレーム３１の左右を挟む位置に設けられている。各固定板４０は、いずれも遊技盤３側（前方）の縁部が部分的に切り欠かれることで前方への張り出し部４１が形成されると共に後方の縁部が折り曲げられた形状となっている。張り出し部４１は、固定板４０の上端側と、固定板４０の中央よりも下方側の一部とに形成されている。
【００２２】
支持機構４５は、固定板４０とユニットフレーム３１の側壁３２とに回動可能に軸支される支持アーム（第１アーム）４６を左右一対を一組として上下方向に間隔を空けた位置に二組（計４個）備えると共に、左右両側のそれぞれにおいて上下の支持アーム４６を回動可能に連結するようにユニットフレーム３１の周方向に沿って上下に直線状に延びる連結アーム４８を備える。上下の支持アーム４６は、ユニットフレーム３１の初期位置で上下方向に沿う方向から水平方向（前後方向）に沿う方向に屈曲するように逆Ｌ字状に形成された部材である。この支持アーム４６は、上下方向に沿う部分の下端でユニットフレーム３１の側壁３２に設けられた第１軸３２ａに回動可能に軸支されており、屈曲部分で固定板４０の張り出し部４１に設けられた第２軸４１ａに回動可能に軸支されている。また、連結アーム４８の上端は、上側の支持アーム４６の水平方向に沿う部分の後端に連結軸４９を介して回動可能に軸支され、連結アーム４８の下端は、下側の支持アーム４６の水平方向に沿う部分の後端に連結軸４９を介して回動可能に軸支されている。図５は、振分ユニット３０が支持される様子を側方からみた説明図である。支持機構４５は、各支持アーム４６が回動可能に軸支されると共に上下の支持アーム４６が互いに連動するように連結アーム４８で連結されるため、支持機構４５による支持力と重力とが釣り合う状態でユニットフレーム３１を吊り下げるように支持することができる（図５（ａ）参照）。また、固定板４０に対してユニットフレーム３１が前後方向に揺動可能に支持することができる（図５（ｂ）参照）。
【００２３】
また、支持アーム４６は、第１軸３２ａおよび第２軸４１ａがそれぞれ挿通される貫通孔が形成されている。各貫通孔に挿通された第１軸３２ａおよび第２軸４１ａには、先端側にＥリング４７（図４参照）が嵌め込まれることで支持アーム４６の脱落を防止している。支持アーム４６の貫通孔のうち、第１軸３２ａが挿通される貫通孔４６ａ，４６ｂを図４中の拡大図に示す。図示するように、上方の支持アーム４６の貫通孔４６ａよりも、下方の支持アーム４６の貫通孔４６ｂの方が、ユニットフレーム３１の周方向（ここでは上下方向）に孔径が拡がった長孔状に形成されており、第１軸３２ａを上下方向に余裕をもった状態で挿通可能となっている。これにより、各部材の製造誤差や組付誤差などが生じていても、それらの誤差を吸収することができるから、上下の支持アーム４６を連結するものとした場合に各軸支部分で軸ずれやこじりなどが生じるのを防止して、スムーズに連動（回動）させることができる。このため、ユニットフレーム３１のスムーズな揺動が可能となる。
【００２４】
ここで、上述したように、遊技機１では振分口３７ａ〜３７ｃのいずれに遊技球が振り分けられるかによって遊技者に有利な遊技状態となるか否かが異なるものとなっている。このため、有利な遊技状態となる振分口（例えば振分口３７ａ）に遊技球が振り分けられるように、遊技者が遊技機１を叩いたり揺すったりして振分ユニット３０（振分部３７）に比較的大きな衝撃や振動を与える不正行為が行われる場合がある。本実施形態では、ユニットフレーム３１が揺動可能に構成されているため、衝撃などが伝わってもユニットフレーム３１が揺動するように動いて衝撃を吸収することができる。このため、ユニットフレーム３１に支持固定された振分部３７の姿勢変化を抑えて水平状態（初期姿勢）を保つことができる。したがって、遊技機１に比較的大きな衝撃や振動が与えられても、振分部３７による各振分口３７ａ〜３７ｃへの振り分け状態を適正に維持することができる。また、振分ユニット３０は、可変入賞口２１から入球した遊技球を受けて振分部３７まで流下させる誘導ステージ３３と案内流路３５とがユニットフレーム３１に支持固定されている。ここで、ユニットフレーム３１が静止している状態で可変入賞口２１から入球した遊技球と、ユニットフレーム３１が揺動している状態で可変入賞口２１から入球した遊技球とは、遊技球の流れの速さなどの挙動が異なる場合がある。そのような場合でも、一旦誘導ステージ３３で受けた遊技球を案内流路３５を通して振分部３７に送ることにより、そのような挙動の違いが振分部３７での振り分けに影響を及ぼすのを抑制することができる。これらのことから、遊技者が衝撃や振動を与える不正行為を抑制することができ、不正行為が行われた場合でも遊技球の振り分けに影響が及ぶのを防止して適正な遊技を行うことができる。なお、ユニットフレーム３１は揺動により遊技機１の設置状態に拘わらず一定の姿勢を保つことができるため、設置場所の傾き角度の違いや周辺環境からの振動などの影響によって振分部３７の振り分け状態が変化するのを防止することもできる。
【００２５】
以上説明した本実施形態の振分ユニット３０は、振分部３７を支持固定する枠状のユニットフレーム３１と、ユニットフレーム３１の左右の側壁３２に対向する一対の固定板４０と、側壁３２に回動可能に軸支されると共に固定板４０に回動可能に軸支される一対の支持アーム４６を上下に二組有する支持機構４５と、を備え、上下の二つの支持アーム４６が互いに連動するように連結される。これにより、一対の支持アーム４６を上下に二組有する簡易な構成で、ユニットフレーム３１を吊り下げるように支持して揺動可能とすることができる。このため、遊技機１に衝撃などが与えられても、振分部３７の姿勢変化を抑えて振り分け状態を適正に維持することができるから、簡易な構成で遊技球を適正に振り分け可能とすることができ、遊技機１への不正行為を抑制することができる。
【００２６】
また、振分ユニット３０は、逆Ｌ字状の上下二つの支持アーム４６のそれぞれに回動可能に軸支される連結アーム４８を備えるから、簡易な構成で上下二つの支持アーム４６を連動させてユニットフレーム３１を揺動可能に吊り下げ支持することができる。
【００２７】
また、振分ユニット３０は、可変入賞口２１から入球した遊技球を受けて振分部３７まで流下させる誘導ステージ３３と案内流路３５とがユニットフレーム３１に支持固定されるため、ユニットフレーム３１が揺動している場合でも可変入賞口２１から入球した遊技球の挙動の違いを抑えた上で振分部３７に流下させることができるから、遊技球をさらに適正に振り分けることができる。
【００２８】
また、上下二つの支持アーム４６のうち下方の支持アーム４６の軸孔４６ｂが上方の支持アーム４６の軸孔４６ａに比べて上下方向に孔径が拡がった長孔状に形成されるから、製造誤差や組付誤差を吸収して支持アーム４６をスムーズに連動させることができる。
【００２９】
本実施形態では、下方の支持アーム４６の軸孔４６ｂが長孔状に形成されるものとしたが、これに限られず、上方の支持アーム４６の軸孔４６ａが長孔状に形成されるものとしてもよい。あるいは、いずれか一方の支持アーム４６の軸孔が長孔状に形成されないものなどとしてもよいが、スムーズに回動させるため長孔状に形成されるものが好ましい。
【００３０】
本実施形態では、振分ユニット３０のユニットフレーム３１が、側壁３２が上下（鉛直）方向に延在するように配置されるものとしたが、これに限られず、側壁が水平方向に延在するように配置されるものなどとしてもよい。このようにする場合、支持アーム４６を初期状態とするように付勢するスプリングなどの付勢手段を設けるものなどとする。なお、側壁３２が上下方向に延在するものにおいても、支持アーム４６を初期状態とするように付勢するスプリングなどの付勢手段を設けてもよい。
【００３１】
本実施形態では、可変入賞口２１から可変入賞装置２０内に流入した遊技球を受けて振分部３７まで流下させる誘導ステージ３３と案内流路３５とがユニットフレーム３１に支持固定されるものとしたが、これに限られず、誘導ステージ３３と案内流路３５との両方またはいずれか一方を備えないものとしてもよく、可変入賞装置２０（振分ユニット３０）内に流入した遊技球が直接振分部３７に到達するものなどとしてもよい。
【００３２】
本実施形態では、二つの支持アーム４６が直線状に延在する連結アーム４８により連動するように連結されるものとしたが、これに限られず、二つの支持アーム４６が連動するように連結する構成であればよく、ギヤ機構などを用いて構成してもよい。
【００３３】
本実施形態では、振分ユニット３０の振分部３７がユニットフレーム３１内に支持固定されると共にユニットフレーム３１が二組の支持アーム４６により揺動可能に支持されるものとしたが、この構成に限られるものではない。図６は変形例の振分ユニット１３０の斜視図であり、図７は振分ユニット１３０の上面図であり、図８は図７のＡ−Ａ断面図である。また、図９は振分ユニット１３０の一部の構成の分解斜視図であり、図１０〜図１２は振分ユニット１３０の一部の構成の斜視図である。
【００３４】
変形例の振分ユニット１３０は、図６，図７に示すように、筐体１３１と、中央に開口部１３２ａ（図９参照）が形成され筐体１３１上に固定されるベース板１３２と、遊技球を受けて下方へ案内する案内流路１３５と、案内流路１３５から流下した遊技球を振分口１３７ａ〜１３７ｃのいずれかに振り分ける振分部１３７と、中央に開口部が形成され振分部１３７の下部に固定される下部板１３８と、下部板１３８を介して振分部１３７を支持する支持機構１４０（図８参照）と、を備える。ベース板１３２は、筐体１３１を介してまたは直接に遊技機１に固定されており、遊技盤３に対して固定されたものとなる。案内流路１３５は、実施形態の案内流路３５のように誘導ステージから落下した遊技球を受けてもよいし、可変入賞口２１のような入球口から入球した遊技球を直接受けてもよい。振分部１３７は、実施形態の振分部３７と同様に遊技球を振り分けるものである。
【００３５】
支持機構１４０は、図８〜図１２に示すように、ベース板１３２の下面から延出するように配設される複数（例えば４つ）の棒状のダンパ（制振ダンパ）１４２と、ダンパ１４２をベース板１３２に取り付けるための細長い平板状の取付部材１４３と、ダンパ１４２を介してベース板１３２に吊り下げられ中央に開口部が形成された平板状の重り板（制振ウェイト）１４５と、中央に開口部を形成すると共に上方に環状に延在した環状壁部１４７を有し重り板１４５の上部に配設される支持部材１４６と、支持部材１４６の環状壁部１４７の四隅からベース板１３２の開口部１３２ａを通過するように立設し下部板１３８を支持する支柱１４８と、を備える。ダンパ１４２は、シリコンゴムやウレタンゴム等のゴム材からなる粘弾性部材として構成されている。
【００３６】
ダンパ１４２は、軸部よりも大径に形成された上端フランジ部１４２ａが、ベース板１３２の開口部１３２ａの縁における四隅近傍に形成された円形状の嵌め込み部１３２ｂに嵌め込まれる。取付部材１４３は、ダンパ１４２の軸部が嵌まるように切り欠かれた切り欠き部１４３ａと、挿通孔１４３ｂを有する円筒部とが形成されており、ダンパ１４２の軸部が切り欠き部１４３ａに嵌められる。その状態で、取付ネジ１４１ａ（図９参照）が挿通孔１４３ｂを介して、ベース板１３２の円筒部の中心に形成されたネジ孔１３２ｃに締結されることにより、ダンパ１４２をベース板１３２の下面に取り付ける。
【００３７】
支持部材１４６は、四隅近傍に形成された切り欠き部１４６ａにダンパ１４２の軸部が嵌められることで、ダンパ１４２の下端フランジ部１４２ｂに係止される。重り板１４５は、四隅近傍に下端フランジ部１４２ｂが収まるように切り欠かれた切り欠き部１４５ａを有し、この切り欠き部１４５ａに下端フランジ部１４２ｂを収めるように支持部材１４６の下面に当接される。その状態で、取付ネジ１４１ｂ（図１０参照）が、重り板１４５の開口部の縁の挿通孔１４５ｂを介して、支持部材１４６の下面に形成された図示しないネジ孔に締結されることにより、重り板１４５と支持部材１４６とが接続されて、ダンパ１４２を介してベース板１３２に吊り下げられることになる。
【００３８】
支持部材１４６の環状壁部１４７の上端の四隅には、窪みの底の中心に挿通孔が形成された窪み部１４７ａが形成されており、この窪み部１４７ａに、中心に挿通孔が形成された円筒状の支柱１４８が配設される。支持部材１４６がベース板１３２に吊り下げられた状態で、窪み部１４７ａに支柱１４８が配設されると、支柱１４８はベース板１３２の開口部１３２ａを通過して上端がベース板１３２よりも上方に位置するものとなる。下部板１３８は、下面に形成された図示しないネジ孔が支柱１４８の挿通孔と連通するように支柱１４８に載置される。その状態で、取付ネジ１４１ｃ（図１２参照）が、窪み部１４７ａの挿通孔と支柱１４８の挿通孔とを介して下部板１３８のネジ孔に締結されることにより、下部板１３８（振分部１３７）が支持部材１４６に支持される。
【００３９】
このようにして、変形例の振分ユニット１３０は、遊技盤３に対して固定されたベース板１３２にダンパ１４２を介して重り板１４５と支持部材１４６とが吊り下げられると共に、支持部材１４６（環状壁部１４７）に配設される支柱１４８がベース板１３２の開口部１３２ａを通過して振分部１３７を支持することになる。ベース板１３２に吊り下げられた支持部材１４６は水平方向に揺動することができるから、支持部材１４６に支柱１４８を介して支持された振分部１３７も水平方向に揺動することができる。このように、支持機構１４０は、ベース板１３２に対して振分部１３７の水平方向への揺動（微動）を許容するフローティング機構として構成されるものといえる。また、支持機構１４０は、ベース板１３２を介して伝わる衝撃や振動を、ダンパ１４２と重り板１４５とにより制振することができるから、振分部１３７が大きく揺れるのを抑制することができる。したがって、実施形態と同様に、遊技機１に与えられた衝撃などが振分ユニット１３０に伝わっても、振分部１３７の水平状態を維持して遊技球を適正に振り分けることができる。また、制振用の支持機構１４０を、ベース板１３２の下方にコンパクトに配置して、外部から見えないようにすることができる。なお、支柱１４８は、剛性の高い部材で構成してもよいし、ダンパ１４２と同様に粘弾性部材で構成してもよい。後者のようにすれば、ダンパ１４２と支柱１４８との相乗効果により振動の吸収効果を向上させることが可能となる。
【００４０】
このように、変形例では、遊技盤内の遊技領域を遊技球が流下する遊技機に用いられる遊技機用振分装置であって、遊技領域を流下する遊技球を受入可能な受入口と、受入口から受け入れた遊技球を複数の振分口のいずれかに振り分ける振分部と、開口部が形成され遊技盤に対して固定された固定板と、固定板の下面から延出するように配設され粘弾性体により構成された複数のダンパと、ダンパを介して固定板に吊り下げられる重り部材と、重り部材の上部に配設され固定板の開口部を通過して振分部を支持する複数の支柱と、を備えることを要旨とする。また、この遊技機用振分装置において、支柱は、粘弾性体により構成されるものとしてもよい。
【００４１】
本実施形態の主要な要素と課題を解決するための手段の欄に記載した発明の主要な要素との対応関係について説明する。本実施形態では、遊技盤３が「遊技盤」に相当し、振分ユニット３０が「遊技機用振分装置」に相当し、可変入賞装置２０の可変入賞口２１が「受入口」に相当し、振分部３７が「振分部」に相当し、ユニットフレーム３１が「支持枠」に相当し、固定板４０が「固定部材」に相当し、支持アーム４６が「支持アーム」に相当し、支持機構４５が「支持部」に相当する。連結アーム４８が「連結アーム」に相当する。誘導ステージ３３と案内流路３５とが「誘導部」に相当する。貫通孔４６ａ，４６ｂのうち貫通孔４６ｂが「上下方向に孔径が拡がった長孔状」の軸孔に相当する。
【００４２】
以上、本発明の実施の形態について説明したが、本発明はこうした実施形態に何等限定されるものではなく、本発明の要旨を逸脱しない範囲内において、種々なる形態で実施し得ることは勿論である。
【符号の説明】
【００４３】
１  遊技機、２  本体、３  遊技盤、３ａ  中央開口部、４  スピーカ、５  上受け皿、６  下受け皿、７  発射ハンドル、８  演出ボタン、１１  図柄表示装置、１３  第１始動口、１４  第２始動口、１５  一般入賞口、１６  アウト口、２０  可変入賞装置、２１  可変入賞口、２２  羽根部材、３０，１３０  振分ユニット、３１  ユニットフレーム、３２  側壁、３２ａ  第１軸、３３  誘導ステージ、３３ａ  落下口、３４，３６  固定部材、３５，１３５  案内流路、３７，１３７  振分部、３７ａ〜３７ｃ，１３７ａ〜１３７ｃ  振分口、３８  特定流路、３８ａ  検知スイッチ、４０  固定板、４１  張り出し部、４１ａ  第２軸、４５  支持機構、４６  支持アーム、４６ａ，４６ｂ  貫通孔、４８  連結アーム、４９  連結軸、１３１  筐体、１３２  ベース板、１３２ａ  開口部、１３２ｂ  嵌め込み部、１３２ｃ  ネジ孔、１３８  下部板、１４０  支持機構、１４１ａ〜１４１ｃ  取付ネジ、１４２  ダンパ、１４２ａ  上端フランジ部、１４２ｂ  下端フランジ部、１４３  取付部材、１４３ａ  切り欠き部、１４３ｂ  挿通孔、１４５  重り板、１４６  支持部材、１４６ａ  切り欠き部、１４７  環状壁部、１４７ａ  窪み部、１４８  支柱。
【図１】
2019122509.tif 000003
【図２】
2019122509.tif 000004
【図３】
2019122509.tif 000005
【図４】
2019122509.tif 000006
【図５】
2019122509.tif 000007
【図６】
2019122509.tif 000008
【図７】
2019122509.tif 000009
【図８】
2019122509.tif 000010
【図９】
2019122509.tif 000011
【図１０】
2019122509.tif 000012
【図１１】
2019122509.tif 000013
【図１２】
2019122509.tif 000014